(57)【要約】    【課題】  ２人間の往復のみでなく、３人以上でリレー形式での回覧を可能にするリレー配送物を提供する。    【解決手段】  前記リレー配送物は、２以上の宛先情報の記載面（１０）を有するシート（１００）と、前記シートに記載されたいずれか１の前記宛先情報（１１）のみを認識可能に表示し、他の前記宛先情報（１１）を隠す手段（３０）と、を備え、表示される１の宛先情報を変更することにより、３人以上によるリレー式通信を行うことが可能に構成される。【選択図】  図２
2005305675.tif 000002
【特許請求の範囲】
【請求項１】
郵送可能な配送物であって、
２以上の宛先情報の記載面を有するシートと、
前記シートに記載されたいずれか１の前記宛先情報のみを認識可能に表示し、他の前記宛先情報を隠す手段と、を備え、
表示される宛先情報を変更することにより、３人以上によるリレー式通信を可能に構成されていることを特徴とするリレー配送物。
【請求項２】
前記シートに、前記宛先情報ごとに剥離可能なシールを前記隠す手段として２以上有し、
送付後に、前記シールを剥離することにより、１の前記宛先情報のみを認識可能に表示するように構成されている、請求項１に記載のリレー配送物。
【請求項３】
前記シートに、前記宛先情報ごとに再接着及び再剥離可能なシールを前記隠す手段として２以上有し、
送付後に、前記シールを移動させることにより、１の前記宛先情報のみを認識可能に表示するように構成されている、請求項１に記載のリレー配送物。
【請求項４】
前記シートは、所定の折り線に対し対称なシートであって、
複数の前記折り線で折って、１の前記宛先情報を記載可能であって、かつ単位形状からなる１の表示面を形成することにより、いずれかの前記表示面の宛先情報のみを認識可能に表示し、他の宛先情報を隠す構成を前記隠す手段として備え、
折る順番を変更して、表示面上に露出する前記宛先情報を変更することにより、３人以上によるリレー式通信を可能にする、請求項１に記載のリレー配送物。
【請求項５】
前記シートは、
第１の単位形状面と、
前記第１の単位形状面に重ねられ、それぞれの前記宛先情報を記載可能な複数の第２の単位形状面と、を備え、
複数の前記第２の単位形状面を、前記第１の単位形状面に重ねるように折ることにより、いずれか１の前記宛先情報のみを認識可能に表示し、他の宛先情報を隠す構成を前記隠す手段として備え、
折る順番を変更して、前記単位形状面上に表示される前記宛先情報を変更することにより、３人以上によるリレー式通信を可能にする、請求項１に記載のリレー配送物。
【請求項６】
前記シートは、各々が前記宛先情報を有する単位形状面を複数備え、
前記単位形状面毎に折ることにより、いずれかの前記単位形状面の前記宛先情報のみを認識可能に表示し、他の宛先情報を隠す構成を前記隠す手段として備え、
折る順番を変更して、前記単位形状面上に表示される前記宛先情報を変更することにより、３人以上によるリレー式通信を可能にする、請求項１に記載のリレー配送物。
【請求項７】
前記隠す手段として、前記シートの少なくとも一部を覆うことが可能なシートカバーを備え、
前記シートカバーには覗窓が設けられ、かつ前記覗窓が、前記シートの収容時にカバー内部に固定された前記シート上の１の前記宛先情報のみを認識可能に表示させるように構成されている、請求項１に記載のリレー配送物。
【請求項８】
前記隠す手段として、前記シートの少なくとも一部を覆うことが可能なシートカバーを備え、
前記シートカバーには切込みが設けられ、かつ前記切込みが、前記シートの収容時にカバー内部に固定された前記シート上の１の前記宛先情報のみを認識可能に表示させるよう構成されている、請求項１に記載のリレー配送物。
【発明の詳細な説明】
【技術分野】
【０００１】
本発明は、３人以上でのリレー状の回覧を可能にするリレー式通信に適する配送物に関する。
【背景技術】
【０００２】
従来から、２人間で書信を送付する手段として往復はがきが広く一般に用いられており、この往復はがきには実開平７−２６１６０号公報や特開平２−１８７３９６号公報に記載されているように多くのバリエーションがあった（特許文献１、２）。或いは、実開平１−１７７１３４号公報に記載されているように、窓付き開封形封筒を往復書簡として利用している例もあった（特許文献３）。
【特許文献１】実開平７−２６１６０号公報
【特許文献２】特開平２−１８７３９６号公報
【特許文献３】実開平１−１７７１３４号公報
【発明の開示】
【発明が解決しようとする課題】
【０００３】
しかし、これらはあくまで「往復」すなわち、２人の間の書信の送付を想定したものであったので、３人以上での書信の回覧をすることについては何らの開示もされていなかった。また、１枚のはがき上に複数の宛先情報が表示されていると、どの宛先に配達すればよいかが不明であり、配達時にいたずらに混乱を招く恐れがあるので、事実上困難であった。
【０００４】
そこで、本発明の目的は、３人以上でのリレー式の書信の回覧を可能にするリレー配送物を提供することである。
【課題を解決するための手段】
【０００５】
この目的を達成するため、本発明は、郵送可能な配送物であって、２以上の宛先情報の記載面を有するシートと、シートに記載されたいずれか１の前記宛先情報のみを認識可能に表示し、他の前記宛先情報を隠す手段と、を備え、表示される宛先情報を変更することにより、３人以上によるリレー式通信を可能に構成されていることを特徴とするリレー配送物を提供する。
【０００６】
具体的には、以下のようなリレー配送物を提供する。
（１）２以上の宛先情報を有するシートと、宛先情報ごとに剥離可能なシールを宛先情報を隠す手段として２以上有し、送付後にこのシールを剥離することにより送付済みの宛先情報を隠すと共に、他の１の宛先情報のみを認識可能に表示し、表示される宛先情報を変更することにより、３人以上によるリレー式通信を可能に構成されているリレー配送物。
（２）２以上の宛先情報を有するシートと、宛先情報ごとに再接着及び再剥離可能なシールを宛先情報を隠す手段として２以上有し、送付後に、このシールを移動させることにより、送付済みの宛先情報を隠すと共に、他の１の宛先情報のみを認識可能に表示し、表示される宛先情報を変更することにより、３人以上によるリレー式通信を可能に構成されているリレー配送物。
（３）所定の折り線に対し対称な２以上の宛先情報を有するシートを複数の折り線で折って、いずれか１の宛先情報のみを記載した表示面を形成すると共に他の宛先情報を隠し、折る順番を変更して、表示面上に露出する宛先情報を変更することにより、３人以上によるリレー式通信を可能に構成されているリレー配送物。
（４）第１の単位形状面と、この第１の単位形状面に重ねられ、それぞれの宛先情報を記載可能な複数の第２の単位形状面を有するシートを、複数の第２の単位形状面を、第１の単位形状面に重ねるように折ることにより、いずれか１の宛先情報のみを記載した表示面を形成すると共に他の宛先情報を隠し、折る順番を変更して、表示面上に表示される宛先情報を変更することにより、３人以上によるリレー式通信を可能に構成されているリレー配送物。
（５）各々が宛先情報を有する単位形状面を複数有するシートを、単位形状面毎に折ることにより、いずれかの単位形状面の宛先情報のみを認識可能に表示すると共に他の宛先情報を隠し、折る順番を変更して、単位形状面上に表示される宛先情報を変更することにより、３人以上によるリレー式通信を可能に構成されているリレー配送物。
（６）２以上の宛先情報を有するシートを、覗窓が設けられたシートカバーでシートの少なくとも一部を覆い、シート上の１の宛先情報のみを認識可能に表示すると共に他の宛先情報を隠し、表示される前記宛先情報を変更することにより、３人以上によるリレー式通信を可能に構成されているリレー配送物。
（７）２以上の宛先情報を有するシートを、切込みが設けられたシートカバーでシートの少なくとも一部を覆い、シート上の１の宛先情報のみを認識可能に表示すると共に他の宛先情報を隠し、表示される前記宛先情報を変更することにより、３人以上によるリレー式通信を可能に構成されているリレー配送物。
【発明の効果】
【０００７】
本発明によれば、前記シートに記載されたいずれか１の前記宛先情報のみを認識可能に表示し、他の前記宛先情報を隠す手段を備えたので、表示される１の宛先情報を変更することにより、新しく３人以上によるリレー式通信が可能になるという効果を奏する。
【発明を実施するための最良の形態】
【０００８】
以下、本発明の実施の最良の形態について、図面を参酌して説明する。
【０００９】
（実施形態１）
図１、図２、図３を参酌して、実施形態１について説明する。この実施形態は、シール上に記載された宛先情報を、送付後にシールを剥離して隠すことにより、常に１のみの宛先情報を認識可能に表示し、シート単体で送付を行うことを特徴とする。
図１は、最初の受取人への宛先情報を記載したシールを有するシートを示す。図２は、最初の受取人の宛先情報を記載したシールを剥離した後の、２人目の受取人への宛先情報を記載したシールが表示されたシートを示す。図３は、シート裏面にメッセージが記載された様子である。
【００１０】
本実施形態１のリレー配送物は、大きくシート本体１００（１００Ａ〜Ｈ）、宛先情報記載面１０（１０Ａ〜１０Ｄ）、宛先情報１１（１１Ａ〜１１Ｄ）、配送対価表示欄２０（２０Ａ〜Ｄ）、及び本発明においての宛先情報を隠す手段としてのシール３０（３０Ａ〜３０Ｄ）から構成される。
【００１１】
シート本体１００は、四角形の形状を有する紙からなり、表面１００Ａ、１００Ｂ、１００Ｃ、１００Ｄ、裏面１００Ｅ、１００Ｆ、１００Ｇ、１００Ｈ部分に分けられる。シート裏面１００Ｅ、１００Ｆ、１００Ｇ、１００Ｈには、自由に最終受取人へのメッセージを記載することができるように構成される。
なお、シート本体は、四角形以外の多角形からなってもよく、その場合は、形状に応じて多数人間でメッセージをリレーしてもよい。多角形の角部分には丸みを設けてもよい。また、シートは、紙のみならず、プラスチック、その他の素材から構成されてもよく、色などは問わない。
【００１２】
宛先情報記載面１０は、宛先情報１１、すなわち、受取人の名前及び住所、及び差出人の名前及び住所を備える。
【００１３】
配送対価表示欄２０は、１の宛先情報ごとに、所定の郵送費用に相当する額の切手を、宛先情報の左横に貼付する。なお、切手を貼らなくても、配送スタンプ、第三種郵便物表示印刷等、配送対価の表示を行うものであれば、これを前記配送対価表示欄に記載してもよい。
【００１４】
シール３０は、シート本体１００に密着し、かつシートを傷つけることなく剥離可能な素材からなり、この上に宛先情報記載面１０が設けられ、宛先情報１１が記載される。また、シート送付後は、送付済みの宛先情報記載面を設けたシールが、宛先情報ごとに剥離可能に構成される。
【００１５】
以上の構成において、本リレー配送物の利用方法を説明する。まず、図１に示すように、最初の配送者である差出人Ａは、シート１００Ａ上に貼られたシール３０Ａ上に設けられた宛先情報記載面１０Ａに、最初の受取人Ｂへの宛先情報１１Ａを記載し、切手２０Ａを貼る。また、シート裏面の１００Ｅから１００Ｈのいずれか任意の部分に、最終受取人Ｅへのメッセージを記載する。宛先情報１１Ａ以外の他の宛先情報はシート上に表示されない。他の宛先情報があると、どの宛先に配達すればよいかが不明であり、配達時にいたずらに混乱を招く恐れがあるからである。
【００１６】
前記シート１００は、差出人Ａから、シート上の宛先情報記載面１０Ａに表示された宛先情報１１Ａに記載の最初の受取人Ｂに送付される。シートを受領した受取人Ｂは、図２に示すように、送付済みの宛先情報１１Ａを記載したシール３０Ａを剥がし、シール３０Ａが貼られていた場所を白紙として、宛先情報１１Ａを隠した上で、シール３０Ｂ上に次の受取人Ｃへの宛先情報を記載して宛先情報を変更し、新たに切手２０Ｂを貼り、シート裏面の１００Ｅから１００Ｈのいずれかの部分に最終受取人Ｅ宛のメッセージを記載する。こうすると、変更された新たな１の宛先情報１１Ｂのみがシート上に認識可能に表示される。以下、順番に、最終受取人Ｅにシートを送付するまで、この手順に沿ってシート送付を繰り返す。
【００１７】
その結果、シートには、常に異なる１の宛先情報１１が認識可能に表示されるので、この宛先情報に従い、シートが差出人ＡからＢ、ＢからＣへと順番に、リレー式に最終受取人Ｅまで送付される。図３に示すように、シート裏面のメッセージは全て揃って最終受取人Ｅの手に届く。
【００１８】
本実施形態１の構成によって、ひとつのシートをそのまま使って、３人以上で寄せ書き、誕生日祝いのメッセージ等を、差出人から次の受取人へと一人ずつ順番にリレー式につなぎ、最終的に一つにまとめて完成させて、最終受取人に送付することができる。個々の受取人は、直接メッセージをシートに手書きすることが可能なので、個人の個性をいかして手書きの温かみを生かしたメッセージを記載することができ、このため、生み出される外観の多彩さにより、心の通うコミュニケーションを促進することができる。
【００１９】
また、本実施形態１の構成によって、差出人から最終受取人まで、順番にリレー形式でメッセージを送付するから、差出人及び最終受取人の間のみでなく、メッセージをリレーする受取人相互間においてもコミュニケーションが生じうる。さらに、必要となるシートが１のみであるから、経済的に簡易に回覧することが可能である。
【００２０】
（実施形態２）
図４、図５、図６を参酌して、実施形態２について説明する。この実施形態２は、実施形態１と異なり、送付後に、シートに貼ったシールを移動させることにより、送付済みの宛先情報を隠すと共に、１の宛先情報のみを認識可能に表示し、シート単体で送付を行うことを特徴とする。
図４は、最初の受取人への宛先情報を記載したシートを示す。図５は、最初の受取人の宛先情報の上にシールを移動させた後に、２人目の受取人への宛先情報が表示されたシートを示す。図６は、シート裏面にメッセージが記載された様子である。
【００２１】
本実施形態２のリレー配送物は、大きくシート本体１００（１００Ａ〜Ｈ）、宛先情報記載面１０（１０Ａ〜１０Ｄ）、宛先情報１１（１１Ａ〜１１Ｄ）、配送対価表示欄２０（２０Ａ〜Ｄ）、及び本発明においての宛先情報を隠す手段としてのシール５０（５０Ｂ〜５０Ｄ）から構成される。
【００２２】
シート本体、宛先情報記載面、宛先情報、配送対価表示欄については実施形態１と同様であるので同一符号を付し、説明を省略する。
シール５０は、シートに再接着かつ再剥離可能な素材からなり、シート本体１００に密着し、宛先情報ごとに接着及び剥離可能に構成される。
【００２３】
以上の構成において、本リレー配送物の利用方法を説明する。まず、図４に示すように、最初の配送者である差出人Ａは、シート１００Ａ上に設けられた宛先情報記載面１０Ａに、最初の受取人Ｂへの宛先情報１１Ａを記載し、切手２０Ａを貼る。シート裏面の１００Ｅから１００Ｈのいずれかの部分には、最終受取人Ｅへのメッセージを記載する。宛先情報１１Ａ以外の他の宛先情報はシート上に表示されない。他の宛先情報があると、どの宛先に配達すればよいかが不明であり、配達時にいたずらに混乱を招く恐れがあるからである。１０Ａ以外の他の宛先情報記載面１０Ｂ、１０Ｃ、１０Ｄにはそれぞれシール５０Ｂ、５０Ｃ、５０Ｄが接着されている。
【００２４】
前記シート１００は、シート上の宛先情報記載面１０Ａに表示された宛先情報１１Ａに記載された最初の受取人Ｂに送付される。シートを受け取った受取人Ｂは、図５に示すように、１００Ｂの上に接着されていたシール５０Ｂを剥がし、１００Ｂを露出させ、この１００Ｂの上の宛先情報記載面１０Ｂに宛先情報１１Ｂを記載することにより宛先情報を変更し、切手２０Ｂを貼り、シート裏面の１００Ｅから１００Ｈのいずれかの部分に最終受取人Ｅへのメッセージを記載する。さらに、Ｂは、送付済みの宛先情報記載面１０Ａを含む１００Ａに、先ほど１００Ｂから剥がしたシール５０Ｂを貼ってシール５０Ｂを移動させ、送付済みの宛先情報１１Ａを隠す。こうすると、変更された１の宛先情報１１Ｂのみがシート上に表示される。以下、順番に、最終受取人Ｅにシートを送付するまで、この手順に沿ってシート送付を繰り返す。
【００２５】
なお、上述したように個々の受取人が宛先情報を順に記載する方法によらず、あらかじめ全部又は一部の宛先情報記載面に宛先情報が記載されていてもよい。その場合は、個々の受取人は、シートの受け取り後にシート中の該当部分に最終受取人へのメッセージを記載した後、必要がある場合のみ次のシートの受取人への宛先情報を記載する。そして、次のシートの受取人への宛先情報のみがシート上に認識可能に表示され、かつ他の宛先情報が隠されるようにシールを移動させて宛先情報を変更し、シートを次の受取人に送付する。
【００２６】
その結果、シートには、常に異なる１の宛先情報１１が認識可能に表示されるので、この宛先情報に従い、差出人ＡからＢ、ＢからＣへと順番に、シートがリレー式に最終受取人Ｅまで送付される。図６に示すように、シート裏面のメッセージは全て揃って最終受取人Ｅの手に届く。
【００２７】
本実施形態２の構成によって、実施形態１と同様に、ひとつのシートをそのまま使って、３人以上で寄せ書き、誕生日祝いのメッセージ等を、差出人から次の受取人へと一人ずつ順番にリレー式につなぎ、最終的に一つにまとめて完成させて、最終受取人に送付することができる。
【００２８】
（実施形態３）
図７、図８、図９を参照して、実施形態３について説明する。この実施形態３は、実施形態１及び２と異なり、所定の折り線に対し対称なシートを、折る順番を変えることにより、異なる宛先情報を表示して送付を行う点に特徴がある。
図７は、４等分に折り込み可能な略円形のシートの表面を示す。図８は、前記シートの裏面を示す。図９（ａ）乃至（ｃ）は、前記シートの利用方法を示す。
【００２９】
本実施形態のリレー配送物は、大きくシート本体２００（２００Ａ〜Ｈ）、宛先情報記載面２１０（２１０Ａ〜Ｄ）、宛先情報２１１（２１１Ａ〜Ｄ）、配送対価表示欄２２０（２２０Ａ〜Ｄ）から構成される。
【００３０】
シート本体２００は、略円形の形状を有する紙からなり、折り線２３０に沿って折ることで、円を４等分した単位形状面である扇形面、すなわち、表面２００Ａ、２００Ｂ、２００Ｃ、２００Ｄ、裏面２００Ｅ、２００Ｆ、２００Ｇ、２００Ｈを形成することが可能に構成される。
なお、シート本体は、円形以外の対称な形状からなってもよく、角形の対称な形状の場合は、角部分には丸みが設けられてもよい。異なる宛先情報を表示面に表示することが可能な限りにおいて、４等分以下或いは５等分以上に折ってもよい。また、シートは、紙のみならず、プラスチック、その他の素材から構成されてもよく、色などは問わない。宛先情報記載面、宛先情報、配送対価表示欄の構成は実施形態１と同様であるので省略する。
【００３１】
以上の構成において、本リレー配送物の利用方法を説明する。まず、図７に示すように、シート本体のうち、最初の配送者である差出人Ａは、図７に示すように、表面２００Ｂに最終受取人Ｅへのメッセージを、表面２００Ａに設けられた宛先情報記載面２１０Ａに宛先情報２１１Ａを記載し、２１１Ａの横に切手２２０Ａを貼る。次に図９（ａ）に示すように、折り線２３０Ｂに沿って裏面の２００Ｅと２００Ｆ、２００Ｇと２００Ｈとがそれぞれ重なるように折る。さらに図９（ｂ）に示すように、折り線２３０Ａに沿って、表面の２００Ｂと２００Ｄとがそれぞれ重なるように折る。こうすると、２００Ａに記載された宛先情報２１１Ａのみが認識可能に表示され、他の宛先情報が隠される。さらに、Ａは、２００Ｂと２００Ｄとの間を、剥離可能な接着シール或いは接着シートを用いて接着し、シートを固定し、図９（ｃ）に示すように、宛先情報２１１Ａを認識可能に表示した形態で郵送可能に構成し、シートをＢに送付する。
【００３２】
次に、２１０Ａに記載された受取人Ｂは、シートを受け取ってシートを開き、表面２００Ｃに最終受取人Ｅへのメッセージを、表面２００Ｄに設けられた宛先情報記載面２１０Ｂに宛先情報２１１Ｂを記載し、２１１Ｂの横に新たに切手２２０Ｂを貼る。次に図９に示した手順に準じて、折り線２３０Ｄに沿って裏面の２００Ｅと２００Ｆ、２００Ｇと２００Ｈとがそれぞれ重なるように折る。さらに折り線２３０Ａに沿って、表面の２００Ａと２００Ｃとがそれぞれ重なるように折る。こうすると、２００Ｄに変更された宛先情報２１１Ｂのみが認識可能に表示され、他の宛先情報が隠される。さらに、Ｂは、２００Ａと２００Ｃとの間を、剥離可能な接着シール或いは接着シートを用いて接着し、シートを固定し、宛先情報２１１Ｂを表示した形態で郵送可能に構成し、シートを次の受取人Ｃに送付する。
【００３３】
なお、上述したように個々の受取人が宛先情報を順に記載する方法によらず、あらかじめ全部又は一部の宛先情報記載面に宛先情報が記載されていてもよい。その場合は、個々の受取人は、シートの受け取り後にシート中の該当部分に最終受取人へのメッセージを記載した後、必要がある場合のみ次のシートの受取人への宛先情報を記載する。そして、次のシートの受取人への宛先情報のみがシート上に認識可能に表示され、かつ他の宛先情報が隠されるように図９の手順に準じてシートを折る順番を変え、宛先情報を変更し、シートを次の受取人に送付する。
【００３４】
このように、シートには、常に異なる１の宛先情報が認識可能に表示されるので、この宛先情報に従い、シートは、差出人ＡからＢ、ＢからＣへと順番に、リレー式に最終受取人Ｅまで送付される。その結果、シートに記載されたメッセージは全て揃って最終受取人Ｅの手に届く。
【００３５】
本実施形態３の構成により、所定の折り線に対し対称な１のシートをそのまま使って、実施形態１と同様に、３人以上で寄せ書き、誕生日祝いのメッセージ等を、差出人から次の受取人へと一人ずつ順番にリレー式につなぎ、最終的に一つにまとめて完成させて、最終受取人に送付することができる。
【００３６】
（実施形態４）
図１０、図１１、図１２を参照して、実施形態４について説明する。この実施形態４は、実施形態３と異なり、第１の正方形面と、第１の正方形面に重ねるように折ることのできる、それぞれの宛先情報を記載可能な複数の第２の正方形面とを備えたシートを、折る順番を変更することにより、異なる宛先情報を表示して送付を行う点に特徴がある。
図１０は、折り込み可能なシートの表面を示す。図１１は、前記シートの裏面を示す。図１２（ａ）乃至（ｅ）は、前記シートの利用方法を示す。
【００３７】
本実施形態のリレー配送物は、大きくシート本体３００（３００Ａ〜３００Ｊ）、宛先情報記載面３１０（３１０Ａ〜３１０Ｄ）、宛先情報３１１（３１１Ａ〜３１１Ｄ）、配送対価表示欄３２０（３２０Ａ〜３２０Ｄ）から構成される。
【００３８】
シート本体３００は、１の第１の正方形面（表面３００Ｅ、裏面３００Ｊ）と、その第１の正方形面に重ねるように折ることのできる４の第２の正方形面（表面３００Ａ、３００Ｂ、３００Ｃ、３００Ｄ、裏面３００Ｆ、３００Ｇ、３００Ｈ、３００Ｉ）からなり、折り線３３０に沿って、第１の正方形面３００Ｅに重ねるように、第２の各正方形面３００Ａ〜Ｄを折ることができるように構成される。
【００３９】
なお、シート本体の第１及び第２の単位形状面は、正方形面以外の他の単位形状の面からなってもよく、また、角部分には丸みが設けられていてもよい。また、異なる宛先情報を表示することが可能な限りにおいて、個々の単位形状面は略同一形状であることを必要としない。第２の単位形状面は、第１の単位形状面に重ねるように折ることができる限りにおいて、その数は問わない。
シートは、紙のみならず、プラスチック、その他の素材から構成されてもよく、色などは問わない。宛先情報記載面、宛先情報、配送対価表示欄の構成は実施形態１と同様であるので省略する。
【００４０】
以上の構成において、本リレー配送物の利用方法を説明する。まず、最初の配送者である差出人Ａは、図１０、１１に示すように、シート本体のうち、表面３００Ａに最終受取人Ｅ宛のメッセージを、裏面３００Ｆに設けられた宛先情報記載面３１０Ａに宛先情報３１１Ａを記載し、３１１Ａ横に切手３２０Ａを貼る。次に図１２（ａ）から（ｃ）に示すように、折り線３３０Ｂ、３３０Ｃ、３３０Ｄに沿って、表面３００Ｂ、３００Ｃ、３００Ｄが表面３００Ｅの上にそれぞれ重なるように折る。図１２（ｄ）に示すように、さらに折り線３３０Ａに沿って、３００Ｇと３００Ａとが重なるように折る。こうすると、裏面３００Ｆに記載された宛先情報３１１Ａが表示され、他の宛先情報が隠される。さらに、Ａは、３００Ａと３００Ｇとの間を、剥離可能な接着シール或いは接着シートを用いて接着し、シートを固定し、図１２（ｅ）に示すように、宛先情報３１１Ａが表示された形態で郵送可能に構成し、シートを次の受取人Ｂに送付する。
【００４１】
次に、シートの受取人Ｂは、シートを受け取ってシートを開き、シート本体のうち、表面３００Ｂに最終受取人Ｅへのメッセージを、裏面３００Ｉに宛先情報３１１Ｂを記載し、３１１Ｂ横に新たに切手３２０Ｂを貼る。次に図１２に示した手順に準じて、折り線３３０Ａ、３３０Ｃ、３３０Ｄに沿って表面３００Ａ、３００Ｃ、３００Ｄが表面３００Ｅの上にそれぞれ重なるように折る。さらに折り線３３０Ｂに沿って、３００Ｇと３００Ｂとがそれぞれ重なるように折る。こうすると、裏面３００Ｉに変更された宛先情報３１１Ｂが表示され、他の宛先情報が隠される。さらに、Ｂは、３００Ｂと３００Ｇとの間を、剥離可能な接着シール或いは接着シートを用いて接着し、シートを固定し、宛先情報３１１Ｂが表示された形態で郵送可能に構成し、シートを次の受取人Ｃに送付する。
【００４２】
なお、上述したように個々の受取人が宛先情報を順に記載する方法によらず、あらかじめ全部又は一部の宛先情報記載面に宛先情報が記載されていてもよい。その場合は、個々の受取人は、シートの受け取り後にシート中の該当部分に最終受取人へのメッセージを記載した後、必要がある場合のみ次のシートの受取人への宛先情報を記載する。そして、次のシートの受取人への宛先情報のみがシート上に認識可能に表示され、かつ他の宛先情報が隠されるように図１２の手順に準じてシートを折る順番を変え、宛先情報を変更し、シートを次の受取人に送付する。
【００４３】
以下、この手順を繰り返すことにより、シート上には常に１の異なる宛先情報が認識可能に表示されるので、この宛先情報に従い、ＡからＢ、ＢからＣへと、順番にリレー式に最終受取人Ｅまでシートが送付される。メッセージは全て揃って最終受取人Ｅの手に届く。
【００４４】
これにより、第１の正方形面と、第１の正方形面に重ねるように折ることのできる、それぞれの宛先情報を記載可能な複数の第２の正方形面とを備えたシートをそのまま使って、実施形態１と同様に、３人以上で寄せ書き、誕生日祝いのメッセージ等を、差出人から次の受取人へと一人ずつ順番にリレー式につなぎ、最終的に一つにまとめて完成させて、最終受取人に送付することができる。
【００４５】
（実施形態５）
図１３、図１４、図１５を参照して、実施形態５について説明する。この実施形態５は、実施形態４と異なり、第１の三角形面と、第１の三角形面に重ねるように折ることのできる、それぞれの宛先情報を記載可能な複数の第２の三角形面とを備えたシートを、折る順番を変更することにより、異なる宛先情報を表示して送付を行う点に特徴がある。
図１３は、折り込み可能なシートの表面を示す。図１４は、前記シートの裏面を示す。
図１５（ａ）乃至（ｄ）は、前記シートの利用方法を示す。
【００４６】
本実施形態のリレー配送物は、大きくシート本体４００（４００Ａ〜４００Ｈ）、宛先情報記載面４１０（４１０Ａ〜Ｃ）、宛先情報４１１（４１１Ａ〜Ｃ）、配送対価表示欄４２０（４２０Ａ〜Ｃ）から構成される。
【００４７】
シート本体４００は、１の第１の三角形面（表面４００Ｄ、裏面４００Ｈ）と、第１の三角形面に重ねるように折ることのできる３の第２の三角形面（表面４００Ａ、４００Ｂ、４００Ｃ、裏面４００Ｅ、４００Ｆ、４００Ｇ）からなり、折り線４３０に沿って、第１の三角形面４００Ｄに重ねるように、第２の各三角形面４００Ａ〜Ｃを折ることができるように折ることが可能に構成される。
【００４８】
なお、シート本体の第１及び第２の単位形状面は、三角形面以外の単体形状面からなってもよく、角部分には丸みが設けられていてもよい。また、異なる宛先情報を表示することが可能な限りにおいて、個々の単位形状面は略同一形状であることを必要としない。第２の単位形状面は、第１の単位形状面に重ねるように折ることができる限りにおいて、その数は問わない。紙のみならず、プラスチック、その他の素材から構成されてもよく、色等は問わない。宛先情報記載面、宛先情報、配送対価表示欄の構成は実施形態１と同様であるので省略する。
【００４９】
以上の構成において、本リレー配送物の利用方法を説明する。まず、最初の配送人である差出人Ａは、図１３に示すように、表面４００Ａに最終受取人Ｄへのメッセージを、裏面４００Ｅに設けられた宛先情報記載面４１０Ａに宛先情報４１１Ａを記載し、４１１Ａ横に切手４２０Ａを貼る。次に図１５（ａ）、（ｂ）に示すように、折り線４３０Ｂ、４３０Ｃに沿って４００Ｂ、４００Ｃが４００Ｄの上にそれぞれ重なるように折る。さらにＡは、図１５（ｃ）に示すように、折り線４３０Ａに沿って、４００Ｇと４００Ａとがそれぞれ重なるように折る。こうすると、裏面４００Ｅに記載された宛先情報４１１Ａが表示され、他の宛先情報が隠される。さらに、４００Ｇと４００Ａとの間を、剥離可能な接着シール或いは接着シートを用いて接着し、シートを固定し、図１５（ｄ）に示すように、宛先情報４１１Ａが表示された形態で郵送可能に構成し、シートを次の受取人Ｂに送付する。
【００５０】
次に、シートの受取人Ｂは、シートを受け取ってシートを開き、シート本体のうち、表面４００Ｂに最終受取人Ｄへのメッセージを、裏面４００Ｆに設けられた宛先情報記載面４１０Ｂに、宛先情報４１１Ｂを記載し、４１１Ｂ横に新たに切手４２０Ｂを貼る。次に図１５に示した手順に準じて、折り線４３０Ａ、４３０Ｃに沿って、表面４００Ａ、４００Ｃが表面４００Ｄの上にそれぞれ重なるように折る。さらに折り線４３０Ｂに沿って、４００Ｂも４００Ｄに重なるように折る。こうすると、裏面４００Ｆに変更された宛先情報４１１Ｂが表示され、他の宛先情報が隠される。さらに、Ｂは、４００Ｂと４００Ｇとの間を、剥離可能な接着シール或いは接着シートを用いて接着し、シートを固定し、宛先情報４１１Ｂが表示された形態で郵送可能に構成し、シートを次の受取人Ｃに送付する。
【００５１】
なお、上述したように個々の受取人が宛先情報を順に記載する方法によらず、あらかじめ全部又は一部の宛先情報記載面に宛先情報が記載されていてもよい。その場合は、個々の受取人は、シートの受け取り後にシート中の該当部分に最終受取人へのメッセージを記載した後、必要がある場合のみ次のシートの受取人への宛先情報を記載する。そして、次のシートの受取人への宛先情報のみがシート上に認識可能に表示され、かつ他の宛先情報が隠されるように図１５の手順に準じてシートを折る順番を変え、宛先情報を変更し、シートを次の受取人に送付する。
【００５２】
以下、この手順を繰り返すことにより、常に１の異なる宛先情報がシート上に認識可能に表示されるので、この宛先情報に従い、ＡからＢ、ＢからＣへと、順次リレー式に最終受取人Ｄまでシートが送付される。メッセージは全て揃って最終受取人Ｄの手に届く。
【００５３】
これにより、第１の三角形面と、第１の三角形面に重ねるように折ることのできる、それぞれの宛先情報を記載可能な複数の第２の三角形面とを備えたシートをそのまま使って、実施形態１と同様に、３人以上で寄せ書き、誕生日祝いのメッセージ等を、差出人から次の受取人へと一人ずつ順番にリレー式につなぎ、最終的に一つにまとめて完成させて、最終受取人に送付することができる。
【００５４】
（実施形態６）
図１６、図１７、図１８を参照して、実施形態６について説明する。この実施形態６は、前記実施形態と異なり、各々が宛先情報を有する単位形状面を複数備えるシートを、単位形状面毎に折る順番を変更することにより、異なる宛先情報を表示して送付を行う点に特徴がある。
図１６は、折り込み可能なシートの表面を示す。図１７は、前記シートの裏面を示す。図１８（ａ）乃至（ｃ）は、前記シートの利用方法を示す。
【００５５】
本実施形態のリレー配送物は、大きくシート本体５００（５００Ａ〜Ｆ）、宛先情報記載面５１０（５１０Ａ〜Ｃ）、宛先情報５１１（５１１Ａ〜Ｃ）、配送対価表示欄５２０（５２０Ａ〜Ｃ）から構成される。
【００５６】
シート本体５００は、単位形状面として円形状面３つ（表面５００Ａ、裏面５００Ｄ）、（表面５００Ｂ、裏面５００Ｅ）、（表面５００Ｃ、裏面５００Ｆ）を横に組み合わせた紙からなり、折り線５３０に沿って１の円形状面毎に折ることが可能に構成される。
なお、シート本体５００は、円形状面以外の、例えば多角形状等の単位形状面でもよくまた、数も３以上有してもよい。多角形の形状を有する場合には、角に丸みが設けられてもよい。また、紙のみならず、プラスチック、その他の素材から構成されてもよく、色等は問わない。宛先情報記載面、宛先情報、配送対価表示欄の構成は実施形態１と同様であるので省略する。
【００５７】
以上の構成において、本リレー配送物の利用方法を説明する。まず、最初の配送者である差出人Ａは、図１６に示す通り、シート本体のうち、裏面５００Ｄに最終受取人Ｄへのメッセージを、表面５００Ａに設けられた宛先情報記載面５１０Ａに宛先情報５１１Ａを記載し、５１１Ａ横に切手５２０Ａを貼る。次に図１８（ａ）、（ｂ）に示す通り、折り線５３０Ｃ、５３０Ｄにそれぞれ沿って、１の円形状面毎に、５００Ｅと５００Ｆが、次に５００Ｃと５００Ｄとが、それぞれ重なるように折る。こうすると表面５００Ａに記載された宛先情報５１１Ａが表示され、他の宛先情報が隠される。さらに、Ａは、５００Ｃと５００Ｄとの間を、剥離可能な接着シール或いは接着シートを用いて接着し、シートを固定し、図１８（ｃ）に示す通り、宛先情報５１１Ａが表示された形態で郵送可能に構成し、シートを次の受取人Ｂに送付する。
【００５８】
次に、シートの受取人Ｂは、シートを受け取ってシートを開き、シート本体のうち、表面５００Ｂに最終受取人Ｄへのメッセージを、裏面５００Ｅに設けられた宛先情報記載面５１０Ｂに宛先情報５１１Ｂを記載し、５１１Ｂ横に新たに切手５２０Ｂを貼る。次に図１８に示した手順に準じて、折り線５３０Ａ、５３０Ｂに沿って、５００Ａ、５００Ｃが５００Ｂの上にそれぞれ重なるように折る。こうすると、５００Ｅに変更された宛先情報５１１Ｂが表示され、他の宛先情報が隠される。さらにＢは、５００Ｃと５００Ｄとの間を、剥離可能な接着シール或いは接着シートを用いて接着し、シートを固定し、宛先情報５１１Ｂが表示された形態で郵送可能に構成し、シートを次の受取人Ｃに送付する。
【００５９】
なお、上述したように個々の受取人が宛先情報を順に記載する方法によらず、あらかじめ全部又は一部の宛先情報記載面に宛先情報が記載されていてもよい。その場合は、個々の受取人は、シートの受け取り後にシート中の該当部分に最終受取人へのメッセージを記載した後、必要がある場合のみ次のシートの受取人への宛先情報を記載する。そして、次のシートの受取人への宛先情報のみがシート上に認識可能に表示され、かつ他の宛先情報が隠されるように図１８の手順に準じてシートを折る順番を変え、宛先情報を変更し、シートを次の受取人に送付する。
【００６０】
以下、この手順を繰り返すことにより、シートには常に１の異なる宛先情報が認識可能に表示されるので、この宛先情報に従い、ＡからＢ、ＢからＣへと、順番にリレー式に最終受取人Ｄまでシートが送付され、メッセージは全て揃って最終受取人Ｄの手に届く。
【００６１】
これにより、単位形状面を複数備えるシートをそのまま使って、実施形態１と同様に、３人以上で寄せ書き、誕生日祝いのメッセージ等を、差出人から次の受取人へと一人ずつ順番にリレー式につなぎ、最終的に一つにまとめて完成させて、最終受取人に送付することができる。
【００６２】
（実施形態７）
図１９、図２０、図２１、図２２を参照して、実施形態７について説明する。この実施形態７は、シートに加え、シートを覆い、１の宛先情報のみを認識可能に表示する覗窓を有するシートカバーを備えた点に特徴を有する。
図１９は、シートカバーに収納されるシート表面を示す。図２０はシートの裏面を示す。図２１は、覗窓を有するシートカバーを示す。図２２は、シートカバーでシートを覆った様子を示したものである。図２３はシートをシートカバーに封入したシートカバーの裏面の様子を示したものである。
【００６３】
本実施形態のリレー配送物は、大きくシート（６０１等）と、及び本発明においての宛先情報を隠す手段としてのシートを収容するシートカバー（６００等）から構成される。
【００６４】
本実施形態のシートは、大きくシート本体６０１（６０１Ａ〜Ｈ）、宛先情報記載面６１０（表６１０Ａ〜Ｄ）、宛先情報６１１（６１１Ａ〜Ｄ）、配送対価表示欄６２０（６２０Ａ〜６２０Ｄ）から構成される。
【００６５】
シート本体６０１は、四角形の形状を有する紙からなり、宛先情報記載面６１１Ａ〜Ｄを有し、表面６０１Ａ、６０１Ｂ、６０１Ｃ、６０１Ｄ、裏面６０１Ｅ、６０１Ｆ、６０１Ｇ、６０１Ｈ部分に分けられる。シート本体裏面６０１Ｅ、６０１Ｆ、６０１Ｇ、６０１Ｈには、自由に最終受取人へのメッセージを記載することができるように構成される。また、シート本体は、シートカバー収容時に、シートカバー６００に設けられた覗窓６２１、６２２から、シート上の宛先情報６１０と配送対価表示欄６２０が、それぞれ共に表示可能であるように構成される。
なお、シート本体は、四角形以外の任意の形状からなってもよく、形状に応じて多数人間でメッセージをリレーしてもよい。多角形の形状であれば、角部分には丸みを設けてもよい。また、シートは、紙のみならず、プラスチック、その他の素材から構成されてもよく、色などは問わない。
【００６６】
宛先情報記載面６１０は、宛先情報６１１として受取人の名前及び住所を備える。
配送対価表示欄６２０の構成は実施形態１と同様であるので省略する。
【００６７】
シートカバーは、シートを覆う紙からなり、シートカバー本体６００、覗窓６２１、６２２、シートカバー封入手段６３１、６３２から構成される。シートカバー裏面には、最初の配送者である差出人Ａの名前及び住所を備える。
なお、シートカバー本体６００はシートの少なくとも一部を覆うことが可能で、１の宛先情報を認識可能に表示する覗窓６２１、６２２を有すると共に、他の宛先情報を隠し、シートを固定することができる限りにおいて、その形状は問わない。また、シートカバーは、紙以外の素材、例えばプラスチックやシール等から構成されてもよく、色等は問わない。
【００６８】
シートカバー６００に設けられた覗窓は、宛先情報表示窓６２２と、配送対価表示欄窓６２１とからなる。宛先情報表示窓６２２は、日本国郵便物である場合には、少なくとも図２１に示すＷ２の長さは８０ミリメートル以上、Ｈに示す長さは４５ミリメートル以上とし、シート上に記載された１の宛先情報を表示する。但し、このような規制は、制度や法改正により変動しうる。また、この部分は、この大きさよりも小さい郵便物の誤入を防ぐため、フィルム等で覆ってもよい。配送対価表示欄窓６２１は、シート上に貼られた切手を露出させ、必ずしもフィルムで覆われていなくてもよい。図２１に示すＷ１の長さは、約３０ミリメートルが好ましいが、これに限定されるものではない。
【００６９】
なお、宛先情報表示窓６２２、配送対価表示欄窓６２１共に、略四角形からなるが、その角部分は、丸みを持たせてもよい。宛先情報表示窓６２２と、配送対価表示欄窓６２１とを一体にしてひとつの覗窓として構成してもよい。宛先情報表示窓６２２、配送対価表示欄窓６２１は、必要に応じて複数設けてもよい。
【００７０】
シートカバー封入手段は、シートカバー口両端に、シートカバー口とシートカバー本体にまたがるよう紐をかけることが可能な部材６３１を設け、これに紐６３２をめぐらせてなる。なお、封入手段は、これによらず、再剥離可能な接着シール或いは接着シート等により封入してもよい。
【００７１】
以上のような構成において、本リレー配送物の利用方法を説明する。まず、最初の配送者である差出人Ａは、図１９に示すように、シート上に設けられた宛先情報記載面６１０Ａに宛先情報６１１Ａを記載し、切手６２０Ａを貼り、シート裏面の６０１Ｅ、６０１Ｆ、６０１Ｇ、６０１Ｈのいずれか任意の部分に、最終受取人Ｅへのメッセージを記載する。そして、シートを図２１に示すシートカバーに収容すると、図２２に示すように、シートカバー６００上に設けられた、宛先情報表示窓６２２から宛先情報６１１Ａが、配送対価表示欄窓６２１から切手６２０Ａが、それぞれ認識可能に表示され、他の宛先情報が隠される。Ａは、この状態のままシート本体６０１をシートカバー本体６００に固定し、シートカバーを図２３に示すように封入して、シートを次の受取人Ｂに送付する。
【００７２】
シートカバーは、紐をほどくことにより何度でも開封可能であるので、シートの受取人Ｂはシートカバーを開封し、シートに設けられた宛先情報記載面６１０Ｂに次の宛先情報６１１Ｂを記載して新たに切手６２０Ｂを貼り、シート裏面６０１Ｅ、６０１Ｆ、６０１Ｇ、６０１Ｈのいずれか任意の部分に最終受取人Ｅへのメッセージを記載する。さらにＢは、シートカバー上から、宛先情報表示窓６２２を通じて新たな宛先情報６１１Ｂが認識可能に表示され、他の宛先情報が隠されるよう、図２２に示すようにシートの位置をずらすようにしてシートをシートカバーに収容かつ固定して宛先情報を変更し、宛先情報６１１Ｂが表示された形態で次の受取人Ｃへ送付する。
【００７３】
なお、上述したような、個々の受取人が宛先情報を順に記載する方法によらず、あらかじめ全部又は一部の宛先情報記載面に宛先情報が記載されていてもよい。その場合は、個々の受取人は、シート受け取り後にシート中の該当部分に最終受取人へのメッセージを記載した後、必要がある場合のみ次の受取人への宛先情報を記載する。そして、次の受取人への宛先情報のみが宛先情報表示窓６２２を通じてシートカバー上から認識可能に表示され、かつ他の宛先情報が隠されるように、シートの位置をずらしてシートカバーにシートを収容かつ固定して、宛先情報を変更し、シートを次の受取人に送付する。
【００７４】
以下、この手順を繰り返すことにより、常に１の異なる宛先情報６１１が認識可能に宛先情報表示窓６２２を通じてシートカバーに表示されるので、この宛先情報に従い、メッセージが順番にリレー式に次の受取人まで送付され、最後は、図２０に示すように、シート裏面の最終受取人へのメッセージが全て揃って最終受取人Ｅの手に届く。
【００７５】
これにより、１のシートカバーで覆った１のシートをそのまま使い、実施形態１と同様に、３人以上で寄せ書き、誕生日祝いのメッセージ等を、差出人から次の受取人へと一人ずつ順番にリレー式につなぎ、最終的に一つにまとめて完成させて、最終受取人に送付することができる。また、１枚のカバーを何回も郵送可能であるので、経済的で、煩雑な手間がない。さらに、シートカバーを備えることにより、シートを汚れから守り、最後の開封者がカバーを開封するときまで内容の秘密性を保持することができるから、最終受取人がシートを見る際の期待がより高まる。
【００７６】
前記シート固定手段は、シートとシートを収容するシートカバーとがほぼ同一の大きさを有するので、シートを収容する際にシートが固定される。なお、多角形の形状を有するシートを覆う四角形のシートカバーであれば、シートとシートカバーとが、辺が重なるようにして、シートカバー収容時にシートが固定されていてもよい。シートカバーに再剥離可能な両面テープを用いてシートを固定してもよい。シートカバー上にクリップ等を設け、このクリップ等を用いてシートを固定してもよい。或いはシートカバーに切込みを入れ、前記切込みの中にシートを挟むことによりシートを固定してもよい。シートとシートカバーに収容した状態で重なる場所に穴を設け、その穴に糸或いは紐を結び、固定してもよい。
【００７７】
（実施形態８）
図２４、図２５、図２６、図２７を参照して、実施形態８について説明する。この実施形態８は、実施形態７と異なり、シートを覆い、かつ切込みを備えたシートカバーを備え、１の宛先情報を認識可能に表示する点に特徴がある。
図２４は、シートの表面、図２５はシートの裏面を示す。図２６は、切込みを有するシートカバーを示す。図２７は、シートカバーでシートを覆った様子を示した図である。
【００７８】
本実施形態のリレー配送物は、大きくシート本体７００（７００Ａ〜Ｈ）と、及び本発明においての宛先情報を隠す手段としてのシートを収容するシートカバー８００から構成される。
【００７９】
シート本体７００は、円形の形状を有する郵送可能なシートであって、シート表面７００Ａ、７００Ｂ、７００Ｃ、７００Ｄ、裏面７００Ｅ、７００Ｆ、７００Ｇ、７００Ｈに分けられ、大きく４の異なる宛先情報記載面７１０（７１０Ａ〜Ｄ）、宛先情報７１１（７１１Ａ〜Ｄ）、配送対価表示欄７２０（７２０Ａ〜Ｄ）、から構成される。
なお、宛先情報記載面は、３以下或いは５以上でもよい。形状は、多角形その他の形状を有してもよく、その場合は形状に応じて表面、裏面とも３以下或いは５以上の部分に分けられてもよい。多角形の形状は、角が丸みを有していてもよい。宛先情報記載面、宛先情報、配送対価表示欄の構成は実施形態１と同様であるので省略する。
【００８０】
シートカバー８００は、シートを覆う円形の紙からなり、扇形の切込み８１０を備える。なお、シートカバー８００は、シート上の１の宛先情報以外の、他の宛先情報すべてを隠すことができる限りにおいて、円形でなくてもよい。また、素材は、紙以外の素材、例えばプラスチックやシール等から構成されてもよく、色等は問わない。
【００８１】
シートカバー８００は、扇形の切込み８１０を備え、シートを覆う際に、前記切込み８１０からシート上の１の宛先情報７１０及び切手７２０を認識可能に表示し、他の宛先情報を隠すことが可能に構成される。なお、切込みは、１の宛先情報及び切手を表示しうる限りにおいて、扇形でなく、他の形状でもよい。
シートは、次の受取人の宛先情報を表示した状態で、再剥離可能な接着シール或いは接着シートを固定手段としてシートカバーに固定される。
【００８２】
以上のような構成において、本リレー配送物の利用方法を説明する。まず、最初の配送者である差出人Ａは、図２４に示すように、シート本体７００上に設けられた宛先情報記載面７１０Ａに宛先情報７１１Ａを記載し、切手７２０Ａを貼り、シート裏面の７００Ｅ〜Ｈの任意の部分に最終受取人Ｅへのメッセージを記載する。そして、シートを図２６に示すシートカバーに収容すると、図２７に示すように、シートカバー８００に設けられた切込み８１０を通じ、シート上の宛先情報７１１Ａと切手７２０Ａが視覚可能に表示され、他の宛先情報が隠される。Ａは、これらが表示された状態で、シート７００をシートカバー本体８００に固定し、シートを次の受取人Ｂに送付する。
【００８３】
シートを受け取ったＢは、シートに設けられた宛先情報記載面７１０Ｂに次の宛先情報７１１Ｂを記載して新たに切手７２０Ｂを貼り、シート裏面の任意の部分に最終受取人Ｅへのメッセージを記載する。さらに、Ｂは、シートカバーに、切込み８１０を通じて変更された新たな宛先情報７１１Ｂ及び切手７２０Ｂのみが認識可能に表示され、かつ他の宛先情報が隠されるよう、図２７に示すように、シートカバーの切込みの位置をずらすようにシートをシートカバーに収容かつ固定し、シートを次の受取人Ｃへ送付する。
【００８４】
なお、上述したような、個々の受取人が宛先情報を順に記載する方法によらず、あらかじめ全部又は一部の宛先情報記載面に宛先情報が記載されていてもよい。その場合は、個々の受取人は、シート受け取り後にシート中の該当部分に最終受取人へのメッセージを記載した後、必要がある場合のみ次の受取人への宛先情報を記載する。そして、次の受取人への宛先情報のみが切込み８１０を通じてシートカバー上から認識可能に表示され、かつ他の宛先情報が隠されるように、シートの位置をずらしてシートカバーにシートを収容かつ固定し、宛先情報を変更して、シートを次の受取人に送付する。
【００８５】
この手順を繰り返すことにより、常に１の異なる宛先情報がシート上に認識可能に表示されるので、この宛先情報に従い、シートが順番にリレー式にＡからＢ、ＢからＣ、ＣからＤへ送付され、最後は、シート裏面の最終受取人Ｅへのメッセージが全て揃って最終受取人Ｅの手に届く。
【００８６】
これにより、１のシートカバーで覆った１のシートをそのまま使い、実施形態１と同様に、３人以上で寄せ書き、誕生日祝いのメッセージ等を、差出人から次の受取人へと一人ずつ順番にリレー式につなぎ、最終的に一つにまとめて完成させて、最終受取人に送付することができる。
【００８７】
本発明は、かかる実施形態により何等制限されるものではなく、種々に変更して適用可能である。また、複数の実施形態を適宜組み合わせてもよい。
【００８８】
例えば、いずれの実施形態においても、宛先情報もメッセージも記載されない任意のシート部分、例えば、実施形態４における３００Ｊ、実施形態５における４００Ｈ等、その他任意の場所に、送付に関する注意や、シート或いはシートカバー取り扱いの説明を記載してもよい。
【００８９】
例えば、本発明の送付手段は、必ずしも郵送に限らない。郵送と同様の形態を用いて送付可能な他の手段があれば、これによってもよい。
【００９０】
例えば、本リレー配送物に設けられた宛先情報記載面は、常に全てを用いる必要はない。必要に応じて宛先情報を使用せずに空欄としたまま、予定された人数よりも少ない人数で適宜リレー式通信を行ってもよい。
【図面の簡単な説明】
【００９１】
【図１】実施形態１にかかる最初の受取人への宛先情報を記載したシールを有するシートである。
【図２】実施形態１にかかる最初の受取人の宛先情報を記載したシールを剥離した後の、  ２人目の受取人への宛先情報を記載したシールが表示されたシートである。
【図３】実施形態１にかかるシート裏面にメッセージが記載された様子である。
【図４】実施形態２にかかる最初の受取人への宛先情報を記載したシートである。
【図５】実施形態２にかかる最初の受取人への宛先情報にシールを移動させた後に、２人目の受取人への宛先情報が表示されたシートを示す。
【図６】シート裏面にメッセージが記載された様子である。
【図７】実施形態３にかかる折り込み可能なシートの表面を示す。
【図８】実施形態３にかかる折り込み可能なシートの裏面を示す。
【図９】（ａ）から（ｃ）により、実施形態３にかかるシートの利用方法を示す。
【図１０】実施形態４にかかる折り込み可能なシートの表面を示す。
【図１１】実施形態４にかかる折り込み可能なシートの裏面を示す。
【図１２】（ａ）から（ｅ）により、実施形態４にかかるシートの利用方法を示す。
【図１３】実施形態５にかかる折り込み可能なシートの表面を示す。
【図１４】実施形態５にかかる折り込み可能なシートの裏面を示す。
【図１５】（ａ）から（ｄ）により、実施形態５にかかるシートの利用方法を示す。
【図１６】実施形態６にかかる折り込み可能なシートの表面を示す。
【図１７】実施形態６にかかる折り込み可能なシートの裏面を示す。
【図１８】（ａ）から（ｃ）により、実施形態５にかかるシートの利用方法を示す。
【図１９】実施形態７にかかるシートカバーに収納されるシートの表面である。
【図２０】実施形態７にかかるシートカバーに収納されるシートの裏面である。
【図２１】実施形態７にかかる覗窓を有するシートカバーである。
【図２２】実施形態７にかかる、シートカバーでシートを覆った様子を示したものである。
【図２３】実施形態７にかかるシートカバーにシートを封入したシートカバーの裏面である。
【図２４】実施形態８にかかるシートの表面である。
【図２５】実施形態８にかかるシートの裏面である。
【図２６】実施形態８にかかる切込みを有するシートカバーである。
【図２７】実施形態８にかかるシートカバーでシートを覆った様子を示したものである。
【符号の説明】
【００９２】
１００・・・シート本体、１０・・・宛先情報記載面、１１・・・宛先情報、２０・・・配送対価表示欄、３０・・・シール（剥がす）、５０・・・シール（移動させる）、２００・・・シート本体、２１０・・・宛先情報記載面、２１１・・・宛先情報、２２０・・・配送対価表示欄、２３０・・・折り線、３００・・・シート本体、３１０・・・宛先情報記載面、３１１・・・宛先情報、３２０・・・配送対価表示欄、３３０・・・折り線、４００・・・シート本体、４１０・・・宛先情報記載面、４１１・・・宛先情報、４２０・・・配送対価表示欄、４３０・・・折り線、５００・・・シート本体、５１０・・・宛先情報記載面、５１１・・・宛先情報、５２０・・・配送対価表示欄、５３０・・・折り線、６００・・・シートカバー本体、６０１・・・シート本体、６１０・・・宛先情報記載面、６１１・・・宛先情報、６２０・・・配送対価表示欄、６２１・・・配送対価表示欄窓（覗窓）、６２２・・・宛先情報表示窓（覗窓）、６３１・・・部材、６３２・・・紐、７００・・・シート本体、７１０・・・宛先情報記載面、７１１・・・宛先情報、７２０・・・配送対価表示欄、８００・・・シートカバー、８１０・・・切込み
【図１】
2005305675.tif 000003
【図２】
2005305675.tif 000004
【図３】
2005305675.tif 000005
【図４】
2005305675.tif 000006
【図５】
2005305675.tif 000007
【図６】
2005305675.tif 000008
【図７】
2005305675.tif 000009
【図８】
2005305675.tif 000010
【図９】
2005305675.tif 000011
【図１０】
2005305675.tif 000012
【図１１】
2005305675.tif 000013
【図１２】
2005305675.tif 000014
【図１３】
2005305675.tif 000015
【図１４】
2005305675.tif 000016
【図１５】
2005305675.tif 000017
【図１６】
2005305675.tif 000018
【図１７】
2005305675.tif 000019
【図１８】
2005305675.tif 000020
【図１９】
2005305675.tif 000021
【図２０】
2005305675.tif 000022
【図２１】
2005305675.tif 000023
【図２２】
2005305675.tif 000024
【図２３】
2005305675.tif 000025
【図２４】
2005305675.tif 000026
【図２５】
2005305675.tif 000027
【図２６】
2005305675.tif 000028
【図２７】
2005305675.tif 000029